(57)【要約】  少なくとも支持体と、アイウェアを使用者の顔面に保持することを可能にする牽引面と、を含む、アイウェアが提供され得る。支持体は、少なくともイヤステム及びフェイスを含み得る。牽引面は、支持体の一部に連結され得る。牽引面は、ある方向に力を受けたとき、滑動前により大きい量の牽引力を提供し得、他の方向に力を受けたとき、滑動前により小さい量の牽引力を提供し得る。
2018538575.tif 000002
【特許請求の範囲】
【請求項１】
アイウェアであって、
使用者の頭部に携帯されるように構成され、使用者の視野内にレンズを支持するように構成されている支持体であって、
使用中に使用者の頭部の外側部及び使用者の耳に近接して位置付けられるように構成されている外面を含む、イヤステムと、
使用中に使用者の鼻に近接して位置付けられるように構成されている外面を含む、ノーズピースと、を含む、支持体と、
前記イヤステム及び前記ノーズピースのうちの少なくとも１つの上にある牽引面であって、前記牽引面が、接触面内の複数の接点において前記接触面に牽引力を加えるように構成され、前記牽引力が、着用中に使用者の頭部での前記アイウェアの滑動を抑制するように構成され、前記接触面内の接点において、前記牽引面が、
前記接点において前記接触面に接する平面内で第１の方向に力を受けたときに、前記牽引面が、滑動前に最大で第１の量の牽引力を加え得、
前記接点において前記接触面に接する前記平面内で第２の方向に力を受けたときに、前記牽引面が、滑動前に最大で第２の量の牽引力を加え得る、ように構成されている、牽引面と、を含み、
前記第１の量の牽引力が、前記第２の量の牽引力よりも大きい、
アイウェア。
【請求項２】
前記牽引面が、少なくとも前記ノーズピース上にあり、前記接触面が、前記使用者の鼻の少なくとも一部であり、
前記接触面内の１つ以上の接点において、前記第１の方向が、前記使用者の鼻に対して概ね下方かつ前方に延在し、第１の軸と鋭角をなし、前記第１の軸が、前記１つ以上の接点において前記接触面に接する平面内にあり、水平軸に平行である、
請求項１に記載のアイウェア。
【請求項３】
前記牽引面が、少なくとも前記イヤステム上にあり、前記接触面が、前記使用者の耳の少なくとも一部であり、
前記接触面内の１つ以上の接点において、前記第１の方向が、使用者の耳に対して概ね前方に延在している、
請求項１に記載のアイウェア。
【請求項４】
前記牽引面が、前記イヤステム及び前記ノーズピースの両方の上にある、請求項１に記載のアイウェア。
【請求項５】
前記牽引面が、前記牽引面が位置する前記外面から斜めに延在する複数の突出部を含む、請求項１に記載のアイウェア。
【請求項６】
前記外面から斜めに延在する前記複数の突出部が、前記第１の方向と概ね反対側に構成要素を有する方向に延在する、請求項５に記載のアイウェア。
【請求項７】
前記外面から斜めに延在する前記複数の突出部が、前記外面に対して垂直よりも平行に近い、請求項５に記載のアイウェア。
【請求項８】
前記外面から斜めに延在する前記複数の突出部が、前記外面に対して平行よりも垂直に近い、請求項５に記載のアイウェア。
【請求項９】
前記外面から斜めに延在する前記複数の突出部が、前記外面に対して平行であるのと概
ね同様に垂直である、請求項５に記載のアイウェア。
【請求項１０】
前記突出部が、ナノスケールの突出部である、請求項５に記載のアイウェア。
【請求項１１】
前記突出部が、マイクロスケールの突出部である、請求項５に記載のアイウェア。
【請求項１２】
前記牽引面が、前記支持体上に一体に形成されている、請求項１に記載のアイウェア。
【請求項１３】
前記牽引面が、前記牽引面に隣接する前記支持体の前記部分の材料と同じ材料から形成されている、請求項１２に記載のアイウェア。
【請求項１４】
前記牽引面が、牽引部材上に形成され、前記牽引部材が前記支持体に取り付けられている、請求項１に記載のアイウェア。
【請求項１５】
前記牽引部材が、前記支持体に取り外し可能に取り付けられている、請求項１４に記載のアイウェア。
【請求項１６】
前記牽引部材が、前記支持体に取り外し可能に取り付けられていない、請求項１４に記載のアイウェア。
【請求項１７】
アイウェアであって、
使用者の頭部に携帯されるように構成され、使用者の視野内にレンズを支持するように構成されている支持体であって、
使用者の頭部の外側部及び使用者の耳に近接して位置付けられるように構成されている外面を含む、イヤステムと、
使用者の鼻に近接して位置付けられるように構成されている外面を含むノーズピースと、を含む、支持体と、
前記イヤステム及び前記ノーズピースのうちの少なくとも１つの上にある牽引面であって、前記牽引面が位置する前記外面から斜めに延在する複数の突出部を含む、牽引面と、を含む、アイウェア。
【請求項１８】
前記外面から斜めに延在する前記複数の突出部が、前記外面に対して垂直よりも平行に近い、請求項１７に記載のアイウェア。
【請求項１９】
前記外面から斜めに延在する前記複数の突出部が、前記外面に対して平行よりも垂直に近い、請求項１７に記載のアイウェア。
【請求項２０】
前記外面から斜めに延在する前記複数の突出部が、前記外面に対して平行であるのと概ね同様に垂直である、請求項１７に記載のアイウェア。
【請求項２１】
前記牽引面が、接触面内の複数の接点において前記接触面に牽引力を加えるように構成され、前記牽引力が、着用時に使用者の頭部での前記アイウェアの滑動を抑制するように構成され、前記接触面内の接点において、前記牽引面が、
前記接点において前記接触面に接する平面内で第１の方向に力を受けたときに、前記牽引面が、滑動前に最大で第１の量の牽引力を加え得、
前記接点において前記接触面に接する前記平面内で第２の方向に力を受けたときに、前記牽引面が、滑動前に最大で第２の量の牽引力を加え得る、ように構成されている、牽引面と、を含み、
前記第１の量の牽引力が、前記第２の量の牽引力よりも大きい、
請求項１７に記載のアイウェア。
【請求項２２】
前記牽引面が、少なくとも前記ノーズピース上にあり、前記接触面が、前記使用者の鼻の少なくとも一部であり、
前記接触面内の１つ以上の接点において、前記第１の方向が、前記使用者の鼻に対して概ね下方かつ前方に延在し、第１の軸と鋭角をなし、前記第１の軸が、前記１つ以上の接点において前記接触面に接する平面内にあり、水平軸に平行である、
請求項２１に記載のアイウェア。
【請求項２３】
前記１つ以上の接点が、前記接触面内の接点の大部分を含む、請求項２２に記載のアイウェア。
【請求項２４】
前記牽引面が、少なくとも前記イヤステム上にあり、前記接触面が、前記使用者の耳の少なくとも一部であり、
前記接触面内の１つ以上の接点において、前記第１の方向が、使用者の耳に対して概ね前方に延在している、
請求項２１に記載のアイウェア。
【請求項２５】
前記１つ以上の接点が、前記接触面内の接点の大部分を含む、請求項２４に記載のアイウェア。
【請求項２６】
前記外面から斜めに延在する前記複数の突出部が、前記第１の方向と概ね反対側に構成要素を有する方向に延在する、請求項２２に記載のアイウェア。
【請求項２７】
前記牽引面が、第１の部分と、第２の部分と、を含み、
接触面の第１の部分内の接触点において、前記牽引面の前記第１の部分が、
前記接点において前記接触面の前記第１の部分に接する平面内で第１の方向に力を受けたときに、前記牽引面が、滑動前に最大で第１の量の牽引力を加え得、
前記接点において前記接触面の前記第１の部分に接する平面内で第２の方向に力を受けたときに、前記牽引面が、滑動前に最大で第２の量の牽引力を加え得る、ように構成されており、
前記第１の量の牽引力が、前記第２の量の牽引力よりも大きく、
前記接触面の第２の部分内の接点において、前記牽引面の前記第２の部分が、
前記接点において前記接触面の前記第２の部分に接する平面内で第３の方向に力を受けたときに、前記牽引面が、滑動前に最大で第３の量の牽引力を加え得、
前記接点において前記接触面の前記第２の部分に接する平面内で第４の方向に力を受けたときに、前記牽引面が、滑動前に最大で第４の量の牽引力を加え得る、ように構成されており、
前記第３の量の牽引力が、前記第４の量の牽引力よりも大きく、
前記第１の方向が前記第３の方向とは異なる、
請求項１７に記載のアイウェア。
【請求項２８】
前記牽引面が、前記支持体上に一体に形成されている、請求項１７に記載のアイウェア。
【請求項２９】
前記牽引面が、前記牽引面に隣接する前記支持体の前記部分の材料と同じ材料から形成されている、請求項２８に記載のアイウェア。
【請求項３０】
前記牽引面が、牽引部材上に形成され、前記牽引部材が前記支持体に取り付けられている、請求項１７に記載のアイウェア。
【請求項３１】
前記牽引部材が、前記支持体に取り外し可能に取り付けられている、請求項３０に記載のアイウェア。
【請求項３２】
前記牽引部材が、前記支持体に取り外し可能に取り付けられていない、請求項３０に記載のアイウェア。
【請求項３３】
前記突出部が、ナノスケールの突出部である、請求項１７に記載のアイウェア。
【請求項３４】
前記突出部が、マイクロスケールの突出部である、請求項１７に記載のアイウェア。
【発明の詳細な説明】
【技術分野】
【０００１】
本出願は、２０１５年１２月８日に出願された米国特許仮出願番号第６２／２６４，４２４号の優先権を主張する。上に特定された出願の全体の内容は、本明細書に参照により組み込まれ、本明細書の一部をなしている。
【０００２】
本明細書に記載される実施形態は、概ね、アイウェアのための牽引装置及び方法に関する。具体的には、本明細書に記載されるいくつかの実施形態は、特定の位置又は向きで着用者の頭部にアイウェアを維持することを補助できる牽引装置を有するアイウェアに関する。
【背景技術】
【０００３】
使用者がより確実に使用者の頭部にアイウェアを保持することを可能にするため、牽引装置をアイウェアに含めることが便利であり、好ましくもある数多くの状況が存在する。アクティブなスポーツを伴う状況など、いくつかの状況においては、力強い運動の期間中に着用者の頭部の定位置に特定の位置又は向きでアイウェアを維持することは、特に有利であり得る。
【発明の概要】
【０００４】
したがって、アイウェアのための牽引装置及び方法が必要とされる。いくつかの実施形態では、アイウェアは、使用者の頭部に携帯され得、使用者の視野内にレンズを支持し得る支持体を含み得る。支持体は、使用者の頭部及び使用者の耳の外側部に近接して位置付けられ得る外面を有する、イヤステムを含み得る。支持体は、使用者の鼻に近接して位置付けられ得る外面を有する、ノーズピースを含み得る。アイウェアは、イヤステム及びノーズピースのうちの少なくとも１つに牽引面を含み得る。牽引面は、複数の突出部を含み得る。複数の突出部は、牽引面が位置する外面から斜めに延在し得る。
【０００５】
いくつかの実施形態では、外面から斜めに延在する複数の突出部は、外面に対して垂直よりも平行に近くあり得る。いくつかの実施形態では、外面から斜めに延在する複数の突出部は、外面に対して平行よりも垂直に近くあり得る。いくつかの実施形態では、外面から斜めに延在する複数の突出部は、外面に対して平行であるのと概ね同様に垂直であり得る。
【０００６】
いくつかの実施形態では、牽引面は、接触面内の複数の接点において接触面に牽引力を発生させ得、牽引力は、着用時に使用者の頭部でのアイウェアの滑動を抑制するように構成されている。いくつかの実施形態では、接触面内の接点において、牽引面は、接点において接触面に接する平面内で第１の方向に力を受けたとき、滑動前に最大で第１の量の牽引力を発生させ得る。いくつかの実施形態では、接触面内の接点において、牽引面は、接点において接触面に接する平面内で第２の方向に力を受けたとき、滑動前に最大で第２の量の牽引力を発生させ得る。いくつかの実施形態では、第１の量の牽引力は、第２の量の牽引力よりも大きくなり得る。いくつかの実施形態では、外面から斜めに延在する複数の突出部は、第１の方向と概ね反対側に構成要素を有する方向に延在し得る。
【０００７】
いくつかの実施形態では、牽引面は、少なくともノーズピース上にあり得、接触面は、使用者の鼻の少なくとも一部である。いくつかの実施形態では、接触面内の１つ以上の接点において、第１の方向は、使用者の鼻に対して概ね下方かつ前方に延在し得、第１の軸と鋭角をなし得、第１の軸は、１つ以上の接点において接触面に接する平面内にあり、水平軸に平行である。いくつかの実施形態では、１つ以上の接点は、接触面内の接点の大部
分を含み得る。
【０００８】
いくつかの実施形態では、牽引面は、少なくとも胃やステム上にあり得、接触面は、使用者の耳の少なくとも一部である。いくつかの実施形態では、接触面内の１つ以上の接点において、第１の方向は、使用者の耳に対して概ね前方に延在し得る。いくつかの実施形態では、１つ以上の接点は、接触面内の接点の大部分を含み得る。
【０００９】
いくつかの実施形態では、牽引面は、第１の部分と、第２の部分と、を含み得る。いくつかの実施形態では、接触面の第１の部分内の接点において、牽引面の第１の部分は、接点において接触面の第１の部分に接する平面内で第１の方向に力を受けたとき、滑動前に最大で第１の量の牽引力を発生させ得、接点において接触面の第１の部分に接する平面内の第２の方向に力を受けたとき、滑動前に最大で第２の量の牽引力を発生させ得、第１の量の牽引力は、第２の量の牽引力より大きい。いくつかの実施形態では、接触面の第２の部分内の接点において、牽引面の第２の部分は、接点において接触面の第２の部分に接する平面内で第３の方向に力を受けたとき、滑動前に最大で第３の量の牽引力を発生させ得、接点において接触面の第２の部分に接する平面内の第４の方向に力を受けたとき、滑動前に最大で第４の量の牽引力を発生させ得、第３の量の牽引力は、第４の量の牽引力より大きい。いくつかの実施形態では、第１の方向は、第３の方向とは異なり得る。
【００１０】
いくつかの実施形態では、牽引面は、支持体上に一体的に形成され得る。いくつかの実施形態では、牽引面は、牽引面に隣接する支持体の一部の材料と同じ材料から形成され得る。いくつかの実施形態では、牽引面は、牽引部材上に形成され得、牽引部材は、支持体に取り付けられ得る。いくつかの実施形態では、牽引部材は、支持体に取り外し可能に取り付けられ得る。いくつかの実施形態では、牽引部材は、支持体に取り外し可能に取り付けられ得ない。
【００１１】
いくつかの実施形態では、アイウェアは、使用者の頭部に携帯され得、使用者の視野内にレンズを支持し得る支持体を含み得る。支持体は、使用者の頭部及び使用者の耳の外側部に近接して位置付けられ得る外面を有する、イヤステムを含み得る。支持体は、使用者の鼻に近接して位置付けられるように構成された外面を有する、ノーズピースを含み得る。支持体は、イヤステム及びノーズピースのうちの少なくとも１つに牽引面を含み得る。牽引面は、接触面内の複数の接点において接触面に牽引力を発生させ得、牽引力は、着用時に使用者の頭部でのアイウェアの滑動を抑制するように構成される。牽引面は、接点において接触面に接する平面内で第１の方向に力を受けたとき、滑動前に最大で第１の量の牽引力を発生させ得る。牽引面は、接点において接触面に接する平面内で第２の方向に力を受けたとき、滑動前に最大で第２の量の牽引力を発生させ得る。第１の量の牽引力は、第２の量の牽引力よりも大きい。
【００１２】
いくつかの実施形態では、牽引面は、少なくともノーズピース上にあり得、接触面は、使用者の鼻の少なくとも一部である。いくつかの実施形態では、接触面内の１つ以上の接点において、第１の方向は、使用者の鼻に対して概ね下方かつ前方に延在し、第１の軸と鋭角をなし、第１の軸は、１つ以上の接点において接触面に接する平面内にあり、水平軸に平行である。
【００１３】
いくつかの実施形態では、牽引面は、少なくとも胃やステム上にあり得、接触面は、使用者の耳の少なくとも一部である。いくつかの実施形態では、接触面内の１つ以上の接点において、第１の方向は、使用者の耳に対して概ね前方に延在する。
【図面の簡単な説明】
【００１４】
本開示の上記及び他の特徴は、添付図面と共に取り込まれる、以下の説明及び添付の特
許請求の範囲から、より完全に明らかになるであろう。これらの図面は、本開示に従った実施形態のうちのいくつかの実施例のみを示すものであり、その範囲の限定と見なされるべきではないことを理解されたい。また、本開示は、添付図面の使用を介して付加的な特異性及び詳細と共に記載される。
【００１５】
【図１】牽引部材上に牽引面を有するアイウェアの一実施形態の概略図を示す。
【００１６】
【図２Ａ】支持体上に牽引面を有するアイウェアの一実施形態の概略図を示す。
【００１７】
【図２Ｂ】支持体上に牽引面を有するアイウェアの別の実施形態の概略図を示す。
【００１８】
【図３】支持体上に牽引面を有するアイウェアの別の実施形態の概略図を示す。
【００１９】
【図４】使用者の頭部に着用されたアイウェアの一実施形態の斜視図を示す。
【００２０】
【図５】図４のアイウェアの正面図を示す。
【００２１】
【図６】ｙ軸に直交する図５のアイウェアの概略的な垂直断面図を示す。
【００２２】
【図７】図５のＡ−Ａとラベル付けされたボックスに沿った、図４のアイウェアの拡大概略図を示す。
【００２３】
【図８】接触面の別の実施形態の概略図を示す。
【００２４】
【図９】接触面の別の実施形態の概略図を示す。
【００２５】
【図１０】使用者の耳に沿って位置付けされた、図４のアイウェアの概略図を示す。
【００２６】
【図１１】牽引アセンブリの一実施形態の概略図を示す。
【００２７】
【図１２】図１１の牽引アセンブリの斜視図を示す。
【００２８】
【図１３】牽引アセンブリの別の実施形態の概略図を示す。
【００２９】
【図１４】図１３の牽引アセンブリの斜視図を示す。
【００３０】
【図１５】牽引アセンブリの別の実施形態の概略図を示す。
【００３１】
【図１６】図１５の牽引アセンブリの斜視図を示す。
【発明を実施するための形態】
【００３２】
以下の発明を実施するための形態は、本質的に例示にすぎず、主題の実施形態又はかかる実施形態の適用及び使用を制限することを意図しない。例として本明細書に記載されているあらゆる実装は、必ずしも他の実装よりも好ましい又は有利なものとして解釈されるべきではない。更に、前述の（proceeding）技術分野、背景技術、発明の概要、又は以下の発明を実施するための形態に提示されている、明示的又は黙示的な説に縛られることを意図しない。
【００３３】
本明細書及び図面は、装置及び方法のいくつかの実施形態のコンテキストで、アイウェア保持装置及び方法の態様及び特徴を提供する。本明細書及び図面で使用されるとき、「
アイウェア」及び「眼鏡」は、それらの通常の意味に従って使用されることが意図された、一般用語である。例えば、これらの用語は、眼の物理的遮蔽を提供し、又は保護若しくは視覚補助のために他の物理的若しくは光学的機能を利用できるようにする、電磁スペクトルの部分を吸収又は遮断するためのフィルタとして、視覚障害のための補正レンズ又はこのような特別な目的のためのレンズを含む光学装置など、任意の光学装置を包含する。これらの実施形態は、二重レンズを有するアイウェアなど、特定のタイプのアイウェアに関連して記載及び例示されている。しかしながら、牽引面など、本明細書で論じられる特徴及び概念は、限定するものではないが、単レンズを有する又はレンズを有しないアイウェア、レンズ付き又はレンズなしのゴーグル、ヘルメット、衣服などの上着、イヤリング、ブレスレット、及びネックレスなどの宝飾品、腕時計、通信装置などのパーソナル電子装置、及びその類を含む、他のタイプの着用可能装置に適用され得ることを理解すべきである。また、特定の実施形態は、完全な環状を有するフレームのコンテキストで開示又は図示されている場合があるが、かかる実施形態は、完全な若しくは部分的な環状を有するフレーム又はリムレス若しくはフェイスレスフレームで使用され得ることも理解すべきである。加えて、装置、システム、及び方法の特定の特徴は、限定するものとして取られるべきではなく、本明細書で論じされているいずれかの一実施形態の特徴は、所望に応じてかつ適切な場合に、他の実施形態の特徴と組み合わせられ得る。いずれかの実施形態に記載及び／又は例示されているいずれかの特徴、工程、材料、若しくは構造は、いずれかの他の実施形態で記載及び／又は例示されているいずれかの他の特徴、工程、材料、若しくは構造と共に又はその代わりに使用され得る。本明細書中のいずれも、いくつかの実施形態では省略され得、本明細書に記載又は例示されているいずれの特徴も必須ではなく、不可欠でもない。
【００３４】
以下の説明で使用され得るある特定の用語は、あくまでも参照用であり、したがって限定することを意図しない。例えば、「上部」、「下部」、「内部」、「外部」、「より上」、及び「より下」などの用語は、参照される図面中の方向を指す。「前方」、「後方」、「右」、「左」、「右側」、「左側」などの用語は、議論中の構成要素を記述するテキスト及び添付図面の参照によって明白になる、一貫性はあるが任意である基準の支持体内の構成要素の部分の向き及び／又は位置を記述する。かかる用語は、上に具体的に述べられた語、その派生語、及び同様の趣旨の語を含む場合がある。同様に、用語「第１」、「第２」、「第３」、及び構造を参照する他のかかる数字用語は、コンテキストで明示されていない限り、配列若しくは順序、又はすべての先行構造が含まれるという必要条件を意味するものではない。
〔アイウェアの概要〕
【００３５】
図１〜図３は、アイウェア１００、２００、３００の様々な実施形態の概略図である。例示の実施形態に示すように、アイウェア１００、２００、３００は、１つ以上の支持体１１０、２１０、３１０を含み得る。いくつかの実施形態では、支持体１１０、２１０、３１０は、使用者又は着用者の頭部に支持されるように構成され得る。
【００３６】
例示の実施形態に示すように、アイウェア１００、２００、３００はまた、１つ以上の支持体１１０、２１０、３１０に連結される、又はその上に形成される、又はそこに組み込まれる、１つ以上の牽引面１５０、２５０ａ〜ｃ、３５０ａ〜ｃを含み得る。いくつかの実施形態において、１つ以上の牽引面１５０、２５０ａ〜ｃ、３５０ａ〜ｃは、使用者の顔面にアイウェア１００、２００、３００を保持し、望ましくない方向での滑動及び／若しくは移動の可能性に抵抗する又はそれを低減し、一方では望ましい方向でのより大きい程度の滑動及び／若しくは移動の可能性に抵抗しない、又はそれらを可能にするように構成され得る。これは、アイウェア１００、２００、３００が滑動しにくくなると同時に、使用者がなお、使用者の顔面からアイウェアを比較的容易に移動できるようにするという点で、有益であり得る。
【００３７】
例えば、１つ以上の牽引面１５０、２５０ａ〜ｃ、３５０ａ〜ｃは、使用者の鼻上にアイウェア１００、２００、３００を保持し、使用者の鼻に対して概ね前方及び／若しくは下方の１つ以上の方向での滑動及び／若しくは移動の可能性に抵抗する又はそれを低減し、一方では１つ以上の概ね若しくは略反対方向での滑動若しくは移動の可能性に抵抗しない又はそれを高めるように、構成され得る。このように、アイウェア１００、２００、３００は、着用されているときに使用者の鼻から滑落しづらくなる。また、使用者は、使用者の顔面から、使用者の鼻に対して概ね後方及び／又は上方の方向にアイウェアを移動させたい場合、使用者は、抵抗がほとんど又はまったくなく快適に移動させることができる。
【００３８】
別の例として、１つ以上の牽引面１５０、２５０ａ〜ｃ、３５０ａ〜ｃは、使用者の耳上及び／又は使用者の頭部の外側部上にアイウェア１００、２００、３００を保持し、使用者の耳及び／若しくは使用者の頭部の外側部に対して概ね前方の方向、又は所望に応じた任意の他の方向での滑動の可能性を低減するように構成され得る。このように、アイウェア１００、２００、３００は、着用されているときに使用者の頭部に対して前方に滑動しにくい。また、使用者が、使用者の頭部から、使用者の頭部に対して概ね上方の方向にアイウェアを移動させることを希望する場合、使用者は、抵抗がほとんど又はまったく快適に移動させることができる。
【００３９】
例示の実施形態に示すように、アイウェア１００、２００、３００はまた、１つ以上のレンズ１６０、２６０、３６０を含み得る。
〔牽引部材上の牽引面の実施形態〕
【００４０】
最初に図１を参照すると、支持体１１０を有するアイウェア１００が例示されている。支持体１１０は、右イヤステム１２０、左イヤステム１３０、フェイス１４０、及びノーズピース１４６を含み得る。右イヤステム１２０は、前側端部１２２、後側端部１２４、前側部分１２６、及び後側部分１２８を含み得る。左イヤステム１３０は、前側端部１３２、後側端部１３４、前側部分１３６、及び後側部分１３８を同様に含み得る。フェイス１４０は、右側部１４２及び左側部１４４を含み、右レンズ１６２及び左レンズ１６４などのレンズ１６０を支持するように構成され得る。いくつかの実施形態では、フェイス１４０は、レンズ１６２、１６４などのレンズ１６０の周辺部の少なくとも一部又は全体を囲むように構成され得る。例えば、フェイス１４０は、部分的又は全体的な環状を含み得る。
【００４１】
いくつかの実施形態では、右及び／若しくは左イヤステム１２０、１３０などのイヤステム、フェイス１４０、並びに／又はノーズピース１４６は、１つ以上の金属、ポリマー、又は他の相対的に硬い及び／若しくは弾力のある材料を用いて製造され得、特性を保証し、安定させ、それにもかかわらずアイウェアがその右及び／又は左イヤステム１２０、１３０などのイヤステムにおける所望の曲げ特性を提供することを可能にする、所望のレンズを有し得る。例えば、いくつかの実施形態では、ステンレスなどの鋼、チタン及びその合金、炭素繊維、プラスチック、アルミニウム、酢酸、ポリウレタン、ポリ尿素、ポリカーボネート、ＰＣ−ＡＢＳ、ＡＢＳ、ＰＶＣ、ナイロン６、ナイロン６−６、及びナイロン１２などのポリマー、並びに他のこのような材料を、右及び／若しくは左イヤステム１２０、１３０などのイヤステム、フェイス１４０、並びに／又はノーズピース１４６に使用して、優れた機械的特性を提供しながら、支持体１１０の重量を軽減させることができる。任意の好適な金属、プラスチック、又は他の剛性及び／又は弾性材料を使用して、例外的な剛性、耐久性、及び耐摩耗性を提供するための支持体１１０を形成することができる。それにもかかわらず、本明細書に開示される様々な特徴及び態様は、プラスチック、アセテート、複合体、金属などの任意の材料又はそのいずれかの組み合わせから製造さ
れるアイウェアに使用され得る。右及び／又は左レンズ１６２、１６４などのレンズ１６０は、レンズの用途によって決定されるように、任意の数の構成をとることができ、プラスチックシート、成型プラスチック、ガラスなどから形成され得る。
【００４２】
例示の実施形態に示すように、右イヤステム１２０、左イヤステム１３０、及び／又はノーズピース１４６は、フェイス１４０に連結され得る。例えば、右イヤステム１２０は、右イヤステム１２０の前側端部１２２にある又はそれに近接したフェイス１４０の右側部１４２に連結され得、左イヤステム１３０は、左イヤステム１３０の前側端部１３２にある又はそれに近接したフェイス１４０の左側部１４４に連結され得、ノーズピース１４６は、右側部１４２と左側部１４４との間のフェイス１４０の一部に連結され得る。いくつかの実施例では、右イヤステム１２０、左イヤステム１３０、及び／又はノーズピース１４６は、フェイス１４０に永続的に固着され得る。右及び／若しくは左イヤステム１２０、１３０などのイヤステム、並びに／又はノーズピース１４６の、フェイス１４０への永続的な固着は、例えば、成形又は熱可塑性接合を介して達成され得る。いくつかの実施形態では、右イヤステム１２０、左イヤステム１３０、及び／又はノーズピース１４６は、限定するものではないが、スナップ嵌め連結又はねじ若しくはピンを含む締結具、又は所望に応じた任意の他の回転可能な連結などの、回転可能な連結によって、フェイス１４０に回転可能に連結され得る。
【００４３】
右及び／又は左イヤステム１２０、１３０がフェイス１４０に回転可能に連結されるいくつかの実施形態では、右及び／又は左イヤステム１２０、１３０は、アイウェア１００が使用者に着用され得る開放位置から、アイウェア１００が保管用によりコンパクトな形状因子を帯びる閉鎖位置へ、並びにその逆へ回転することができる。
【００４４】
図１に例示されたアイウェア１００の実施形態を引き続き参照すると、アイウェア１００は、牽引面１５０を含み得る。上述のように、牽引面１５０は、アイウェア１００を使用者の顔面に保持し、望ましくない方向での移動若しくは滑動の可能性に抵抗する又はそれを低減するように構成され得る。いくつかの実施形態では、牽引面１５０は、牽引部材１５２上に位置付けられ、牽引部材１５２の外面の少なくとも一部を形成し得る。牽引面１５０は、牽引部材１５２の周辺部全体に延在し得るか、又は牽引部材１５２の底部、牽引部材１５２の内向き部分、及び／又は牽引部材１５２の外向き部分など、牽引部材１５２の周辺部に部分的に延在し得る。例示の実施形態に示すように、牽引部材１５２は、支持体１１０とは別の構成要素であり得る。保持部材１５２は、支持体１１０の一部に連結され得る。例えば、保持システム１５０は、右イヤステム１２０、左イヤステム１３０、フェイス１４０、及び／又は支持体１１０のこれらの構成要素の組み合わせに連結され得る。
【００４５】
いくつかの実施形態では、牽引部材１５２と支持体１１０との連結は、牽引部材１５２が支持体１１０から取り外し可能であり得るようであってよい。例えば、牽引部材１５２は、ねじ、ねじ付きボルトなどの取り外し可能な締結具を使用して、支持体１１０に連結され得る。別の実施例として、牽引部材１５２は、クリップなどの取り外し可能な締結具を使用して、支持体１１０に連結され得る。いくつかの実施形態では、牽引部材１５２は、表面にある程度の粘着性又は把持性を与える材料から形成され得る。例えば、牽引部材１５２は、限定するものではないが、例えば、アセテート、ポリウレタン、ポリ尿素、ポリカーボネート、ＰＣ−ＡＢＳ、ＡＢＳ、ＰＶＣ、ナイロン６、ナイロン６−６、ナイロン１２、シリコーン、ラテックス、及びゴムなどのポリマー、鋼、チタン、チタン合金、及びアルミニウムなどの金属、複合体、プラスチック、上記の材料の組み合わせ、並びに／又は所望に応じた任意の他の材料若しくは材料の組み合わせなどの材料から形成され得る。いくつかの実施形態では、材料は、３Ｄ印刷又は射出成型することができる。牽引部材１５２は、牽引部材１５２と支持体１１０との間の接触を介して支持体１１０上に保持
され得る。いくつかの実施形態では、牽引部材１５２は、限定するものではないが、例えば、オーバーモールド、１つ以上の接着剤などの１つ以上の永続的固着方法を用いて、支持体１１０の一部に連結され得る。いくつかの実施形態では、牽引部材１５２は、支持体１１０の一部に一体に形成され得る。
【００４６】
いくつかの実施形態では、牽引部材１５２は、支持体１１０又はレンズ１６０など、アイウェア１００の別の構成要素に対する長さを有し得る。例えば、いくつかの実施形態では、牽引部材１５２は、左及び／又は右イヤステム１２０、１３０などのイヤステムの長さの約５％〜約６０％の長さ、イヤステムの長さの約１０％〜約５０％の長さ、イヤステムの長さの約１５％〜約４０％の長さ、イヤステムの長さの約２０％〜約３０％の長さ、これらの範囲内の任意の部分範囲、又は所望に応じたイヤステムの長さの任意の割合を有し得、この長さは、前側端部１２２、１３２などの前側端部から、後側端部１２４、１３４などの後側端部への長手方向の長さである。いくつかの実施形態では、牽引部材１５２は、後側部分１２８、１３８などの後側部分の長さとおおよそ等しい長さを有し得る。いくつかの実施形態では、牽引部材１５２は、ノーズピース１４６の長さとおおよそ等しい長さを有し得る。
【００４７】
いくつかの実施形態では、牽引面１５０は、支持体１１０と、限定するものではないが、使用者の皮膚など、牽引面１５０と接触する別の表面との間における、ある特定の方向での滑動に抵抗する又はそれを低減若しくは抑制し、一方では他の方向での滑動にあまり抵抗しないか又はより大きい程度の滑動を可能にするように構成され得る。牽引面１５０が使用者の鼻に位置付けられるいくつかの実施形態では、牽引面１５０は、牽引面が、支持体１１０と使用者の鼻との間における、使用者の鼻に対して概ね前方及び／若しくは下方の方向での滑動に抵抗する又はそれを低減若しくは抑制し、一方では後方及び／若しくは上方などの他の方向での滑動にあまり抵抗しないか又はより大きい程度の滑動を可能にするように、構成され得る。別の例として、牽引面１５０が使用者の耳及び／若しくは使用者の頭部の外側部上に又はそこに隣接して位置付けられているいくつかの実施形態では、牽引面１５０は、牽引面が、支持体１１０と使用者の耳及び／又は使用者の頭部の外側部との間における、使用者の頭部に対して概ね前方の方向での滑動に抵抗する又はそれを低減若しくは抑制し、一方では後方、上方、及び／若しくは下方などの別の方向での滑動にあまり抵抗しないか又はより大きい程度の滑動を可能にするように、構成され得る。
〔支持体上の牽引面の実施形態〕
【００４８】
次に図２Ａ及び図２Ｂを参照すると、支持体２１０を有するアイウェア２００の一実施形態が例示されている。アイウェア２００は、アイウェア１００に関連した上記の構成要素、特徴、及び／若しくは特質のいずれか若しくはすべてを含む又は共有することができる。
【００４９】
支持体２１０は、右イヤステム２２０、左イヤステム２３０、フェイス２４０、及びノーズピース２４６ａ、２４６ｂなどのノーズピースを含み得る。右イヤステム２２０は、前側端部２２２、後側端部２２４、前側部分２２６、及び後側部分２２８を含み得る。左イヤステム２３０は、前側端部２３２、後側端部２３４、前側部分２３６、及び後側部分２３８を同様に含み得る。フェイス２４０は、右側部２４２及び左側部２４４を含み、右レンズ２６２及び左レンズ２６４などのレンズ２６０を支持するように構成され得る。いくつかの実施形態では、フェイス２４０は、レンズ２６２、２６４などのレンズ２６０の周辺部の少なくとも一部又は全体を囲むように構成され得る。例えば、顔側２４０は、部分的又は全体的な環状を含み得る。
【００５０】
いくつかの実施形態では、右及び／若しくは左イヤステム２２０、２３０などのイヤステム、フェイス２４０、並びに／又はノーズピース２４６ａ、２４６ｂは、１つ以上の金
属、ポリマー、又は他の相対的に硬い及び／若しくは弾力のある材料を用いて製造され得、特性を保証し、安定させ、それにもかかわらずアイウェアがその右及び／又は左イヤステム２２０、２３０などのイヤステムにおける所望の曲げ特性を提供することを可能にする、所望のレンズを有し得る。例えば、いくつかの実施形態では、チタン、炭素繊維、プラスチック、アルミニウム、及び他のこのような材料を、右及び／若しくは左イヤステム２２０、２３０などのイヤステム、フェイス２４０、並びに／又はノーズピース２４６ａ、２４６ｂに使用して、優れた機械的特性を提供しながら、支持体２１０の重量を軽減させることができる。任意の好適な金属、プラスチック、又は他の剛性及び／又は弾性材料を使用して、例外的な剛性、耐久性、及び耐摩耗性を提供するための支持体２１０を形成することができる。それにもかかわらず、本明細書に開示される様々な特徴及び態様は、プラスチック、アセテート、複合体、金属などの任意の材料又はそのいずれかの組み合わせから製造されるアイウェアに使用され得る。右及び／又は左レンズ２６２、２６４などのレンズ２６０は、レンズの用途によって決定されるように、任意の数の構成をとることができ、プラスチックシート、成型プラスチック、ガラスなどから形成され得る。
【００５１】
例示の実施形態に示すように、右イヤステム２２０、左イヤステム２３０、及び／又はノーズピース２４６ａ、２４６ｂは、フェイス２４０及び／又はレンズ２６０に連結され得る。例えば、右イヤステム２２０は、右イヤステム２２０の前側端部２２２にある又はそれに近接したフェイス２４０の右側部２４２に連結され得、左イヤステム２３０は、左イヤステム２３０の前側端部２３２にある又はそれに近接したフェイス２４０の左側部２４４に連結され得、ノーズピース２４６ａ、２４６ｂは、右側部２４２と左側部２４４との間にあるフェイス２４０の一部並びに／又はレンズ２６０の外側部間若しくは右及び左レンズ２６２、２６４などの２つの別個のレンズ間にあるレンズ２６０の一部に連結され得る。いくつかの実施形態では、右イヤステム２２０、左イヤステム２３０、及び／又はノーズピース２４６ａ、２４６ｂは、フェイス２４０及び／又はレンズ２６０に永続的に固着され得る。右及び／若しくは左イヤステム２２０、２３０などのイヤステム、並びに／又はノーズピース２４６ａ、２４６ｂの、フェイス２４０及び／又はレンズ２６０への永続的な固着は、例えば、成形又は熱可塑性接合を介して達成され得る。例えば、図２Ａに示すように、ノーズピース２４６ａは、フェイス２４０自体の一部であり得る。いくつかの実施形態では、例えば図２Ｂに示すように、ノーズピース２４６ｂは、フェイス２４０に連結されずにレンズ２６０に連結され得る。いくつかの実施形態では、右イヤステム２２０、左イヤステム２３０、及び／又はノーズピース２４６ａは、限定するものではないが、スナップ嵌め連結又はねじ若しくはピンを含む締結具、又は所望に応じた任意の他の回転可能な連結などの、回転可能な連結によって、フェイス２４０に回転可能に連結され得る。
【００５２】
右及び／又は左イヤステム２２０、２３０がフェイス２４０及び／又はレンズ２６０に回転可能に連結されるいくつかの実施形態では、右及び／又は左イヤステム２２０、２３０は、アイウェア２００が使用者に着用され得る開放位置から、アイウェア２００が保管用によりコンパクトな形状因子を帯びる閉鎖位置へ、並びにその逆へ回転することができる。
【００５３】
図２Ａ及び図２Ｂに例示されたアイウェア２００の実施形態を引き続き参照すると、アイウェア２００は、１つ以上の牽引面２５０ａ、２５０ｂ、２５０ｃを含み得る。上述のように、牽引面２５０ａ、２５０ｂ、２５０ｃは、アイウェア２００を使用者の顔面に保持し、望ましくない方向での移動若しくは滑動の可能性に抵抗する又はそれを軽減するように構成され得る。いくつかの実施形態では、牽引面２５０ａ、２５０ｂ、２５０ｃは、右イヤステム２２０、左イヤステム２３０、及び／又はノーズピース２４６ａ、２４６ｂにそれぞれ連結され得る。
【００５４】
例示の実施形態に示すように、牽引面２５０ａ、２５０ｂ、２５０ｃは、支持体２１０の一部に形成され得る。例えば、牽引面２５０ａは、右イヤステム２２０と一緒に成形され得、牽引面２５０ｂは、左イヤステム２３０と一緒に成形され得、及び／又は牽引面２５０ｃは、ノーズピース２４６ａ、２４６ｂと一緒にそれぞれ成形され得る。このようにして、牽引面２５０ａ、２５０ｂ、２５０ｃのうちの１つ以上は、１つ以上の牽引面２５０ａ２５０ｂ、２５０ｃが支持体２１０の１つ以上の構成要素との一体構造を形成できるように、支持体２１０の１つ以上の構成要素と一体に形成され得る。牽引面２５０ａ、２５０ｂ、２５０ｃが支持体２１０の１つ以上の構成要素と一緒に成形される事例において、牽引面２５０ａ、２５０ｂ、２５０ｃは、牽引面２５０ａ、２５０ｂ、２５０ｃが形成される支持体２１０の構成要素と同じ材料からモノリシックに形成され得る。牽引面２５０ａ、２５０ｂ、２５０ｃが支持体２１０の１つ以上の構成要素と一緒に成形される事例において、牽引面２５０ａ、２５０ｂ、２５０ｃは、牽引面２５０ａ、２５０ｂ、２５０ｃが形成される支持体２１０の構成要素の材料とは異なる材料から形成され得る。いくつかの実施形態では、牽引面２５０ａ、２５０ｂなどの牽引面のうちの１つ以上は、イヤステム２２０、２３０などの支持体２１０の構成要素とは分離され得る。このような牽引面は、例えば、イヤステム２２０、２３０など、支持体２１０の部分上で滑動する可能性がある。
【００５５】
牽引面２５０ａ〜ｃは、牽引面２５０ａ〜ｃが形成される構成要素の周辺部全体に延在し得る、又は牽引面２５０ａ〜ｃが形成される構成要素の周辺部に部分的に延在し得る。例えば、牽引面２５０ａは、右イヤステム２２０の周辺部全体に延在し得るか、又は右イヤステム２２０の底部、右イヤステム２２０の内向き部分、及び／若しくは右イヤステム２２０の外向き部分沿いなど、周辺部に部分的に延在し得る。牽引面２５０ｂは、左イヤステム２３０に関して類似の特質を含み得る。
【００５６】
いくつかの実施形態では、牽引面２５０ａ、２５０ｂ、２５０ｃは、支持体２１０又はレンズ２６０など、アイウェア２００の１つ以上の構成要素に対する長さを有し得る。例えば、いくつかの実施形態では、牽引部材２５０ａは、右イヤステム２２０の長さの約５％〜約６０％の長さ、右イヤステム２２０の長さの約１０％〜約５０％の長さ、右イヤステム２２０の長さの約１５％〜約４０％の長さ、右イヤステム２２０の長さの約２０％〜約３０％の長さ、これらの範囲内の任意の部分範囲、又は所望に応じた右イヤステム２２０の長さの任意の割合を有し得、この長さは、前側端部２２２から後側端部２２４への長手方向の長さである。いくつかの実施形態では、牽引面２５０ａは、右イヤステム２２０の後側端部２２４において又はそれに近接して延在し得、右イヤステム２２０のおおよそ中点まで延在し得る。牽引面２５０ｂは、左イヤステム２３０に対して類似の長さを有し得る。牽引面２５０ｃは、ノーズピース２４６ａ、２４６ｂの全体、又はその一部に沿って延在するのに十分な長さを有し得る。
【００５７】
いくつかの実施形態では、牽引面２５０ａ、２５０ｂ、２５０ｃは、支持体２１０と、限定するものではないが、使用者の皮膚など、牽引面２５０ａ、２５０ｂ、２５０ｃと接触する別の表面との間における、ある特定の方向での滑動に抵抗する又はそれを低減若しくは抑制し、一方では他の方向での滑動にあまり抵抗しないか又はより大きい程度の滑動を可能にするように構成され得る。牽引面２５０ｃなどの牽引面が使用者の鼻に位置付けられているいくつかの実施形態では、牽引面は、牽引面が、支持体２１０と使用者の鼻との間における、使用者の鼻に対して概ね前方及び／若しくは下方の方向での滑動に抵抗する又はそれを低減若しくは抑制し、一方では後方及び／若しくは上方などの他の方向での滑動にあまり抵抗しないか又はより大きい程度の滑動を可能にするように、構成され得る。別の例として、牽引面２５０ａ、２５０ｂ、２５０ｃなどの牽引面が使用者の耳及び／若しくは使用者の頭部の外側部上に又はそこに隣接して位置付けられているいくつかの実施形態では、牽引面は、牽引面が、支持体２１０と使用者の耳及び／又は使用者の頭部の
外側部との間における、使用者の頭部に対して概ね前方の方向での滑動に抵抗する又はそれを低減若しくは抑制し、一方では後方、上方、及び／若しくは下方などの別の方向での滑動にあまり抵抗しないか又はより大きい程度の滑動を可能にするように、構成され得る。
〔フェイスレスの支持体上の牽引面の実施形態〕
【００５８】
次に図３を参照すると、支持体３１０を有するアイウェア３００が例示されている。アイウェア３００は、アイウェア１００、２００に関連した上記の構成要素、特徴、及び／若しくは特質のいずれか若しくはすべてを含む又は共有することができる。
【００５９】
支持体３１０は、右イヤステム３２０、左イヤステム３３０、及びノーズピース３４６を含み得る。右イヤステム３２０は、前側端部３２２、後側端部３２４、前側部分３２６、及び後側部分３２８を含み得る。左イヤステム３３０は、前側端部３３２、後側端部３３４、前側部分３３６、及び後側部分３３８を同様に含み得る。
【００６０】
いくつかの実施形態では、右及び／若しくは左イヤステム３２０、３３０などのイヤステム、並びに／又はノーズピース３４６は、１つ以上の金属、ポリマー、又は他の比較的剛性及び／若しくは弾性の材料を使用して製造され得、特性を保証し、安定させ、それにもかかわらず、アイウェアがその右及び／又は左イヤステム３２０、３３０などのイヤステムに所望の曲げ特性を提供することを可能にする、所望のレンズを有し得る。例えば、いくつかの実施形態では、チタン、炭素繊維、プラスチック、アルミニウム、及び他のこのような材料を、右及び／若しくは左イヤステム３２０、３３０、などのイヤステム、並びに／又はノーズピース３４６に使用して、優れた機械的特性を提供し、一方では支持体３１０の重量を軽減させることができる。任意の好適な金属、プラスチック、又は他の剛性及び／又は弾性材料を使用して、例外的な剛性、耐久性、及び耐摩耗性を提供するための支持体３１０を形成することができる。それにもかかわらず、本明細書に開示される様々な特徴及び態様は、プラスチック、アセテート、複合体、金属などの任意の材料又はそのいずれかの組み合わせから製造されるアイウェアに使用され得る。右及び／又は左レンズ３６２、３６４などのレンズ３６０は、レンズの用途によって決定されるように、任意の数の構成をとることができ、プラスチックシート、成型プラスチック、ガラスなどから形成され得る。
【００６１】
例示の実施形態に示すように、右イヤステム３２０、左イヤステム３３０、及び／又はノーズピース３４６は、３６０に連結され得る。例えば、右イヤステム３２０は、右イヤステム３２０の前側端部３２２にある若しくはそれに近接したレンズ３６０の右側部又は右レンズ３６２に連結され得、左イヤステム３３０は、左イヤステム３３０の前側端部３３２にある又はそれに近接したレンズ３６０の左側部又は左レンズ３６４に連結され得、ノーズピース３４６は、レンズ３６０の外側部間又は右及び左レンズ３６２、３６４などの２つの別個のレンズ間にあるレンズ３６０の一部に連結され得る。いくつかの実施形態では、右イヤステム３２０、左イヤステム３３０、及び／又はノーズピース３４６は、レンズ３６０に永続的に固着され得る。右イヤステム及び／若しくは左イヤステム３２０、２３０などのイヤステム、並びに／又はノーズピース３４６の、レンズ３６０への永続的な固着は、例えば、成形又は熱可塑性接合を介して達成され得る。いくつかの実施形態では、右イヤステム３２０、左イヤステム３３０、及び／又はノーズピース３４６は、限定するものではないが、スナップ嵌め連結又はねじ若しくはピンを含む締結具、又は所望に応じた任意の他の回転可能な連結などの、回転可能な連結によって、レンズ３６０に回転可能に連結され得る。
【００６２】
右イヤステム及び／又は左イヤステム３２０、３３０がレンズ３６０に回転可能に連結されるいくつかの実施形態では、右及び／又は左イヤステム３２０、３３０は、アイウェ
ア３００が使用者に着用され得る開放位置から、アイウェア３００が保管用によりコンパクトな形状因子を帯びる閉鎖位置へ、並びにその逆へ回転することができる。
【００６３】
図３に例示されたアイウェア３００の実施形態を引き続き参照すると、アイウェア３００は、１つ以上の牽引面３５０ａ、３５０ｂ、３５０ｃを含み得る。上述のように、牽引面３５０ａ、３５０ｂ、３５０ｃは、アイウェア３００を使用者の顔面に保持し、望ましくない方向での移動若しくは滑動の可能性に抵抗する又はそれを軽減するように構成され得る。いくつかの実施形態では、牽引面３５０ａ、３５０ｂ、３５０ｃは、右イヤステム３２０、左イヤステム３３０、及び／又はノーズピース３４６にそれぞれ連結され得る。
【００６４】
例示の実施形態に示すように、牽引面３５０ａ、３５０ｂ、３５０ｃは、支持体３１０の一部に形成され得る。例えば、牽引面３５０ａは、右イヤステム３２０と一緒に成形され得、牽引面３５０ｂは、左イヤステム３３０と一緒に成形され得、及び／又は牽引面３５０ｃは、ノーズピース３４６ａと一緒にそれぞれ成形され得る。このようにして、牽引面３５０ａ、３５０ｂ、３５０ｃのうちの１つ以上は、１つ以上の牽引面３５０ａ３５０ｂ、３５０ｃが支持体３１０の１つ以上の構成要素との一体構造を形成できるように、支持体３１０の１つ以上の構成要素と一体に形成され得る。牽引面３５０ａ、３５０ｂ、３５０ｃが支持体３１０の１つ以上の構成要素と一緒に成形されるいくつかの事例において、牽引面３５０ａ、３５０ｂ、３５０ｃは、牽引面３５０ａ、３５０ｂ、３５０ｃが形成される支持体３１０の構成要素と同じ材料からモノリシックに形成され得る。牽引面３５０ａ、３５０ｂ、３５０ｃが支持体３１０の１つ以上の構成要素と一緒に成形されるいくつかの事例において、牽引面３５０ａ、３５０ｂ、３５０ｃは、牽引面３５０ａ、３５０ｂ、３５０ｃが形成される支持体３１０の構成要素の材料とは異なる材料から形成され得る。いくつかの実施形態では、牽引面３５０ａ、３５０ｂなどの牽引面のうちの１つ以上は、イヤステム３２０、３３０などの支持体３１０の構成要素とは分離され得る。このような牽引面は、例えば、イヤステム３２０、３３０など、支持体３１０の部分上で滑動する可能性がある。
【００６５】
牽引面３５０ａ〜ｃは、牽引面３５０ａ〜ｃが形成される構成要素の周辺部全体に延在し得るか、又は牽引面３５０ａ〜ｃが形成される構成要素の周辺部に部分的に延在し得る。例えば、牽引面３５０ａは、右イヤステム３２０の周辺部全体に延在し得るか、又は右イヤステム３２０の底部、右イヤステム３２０の内向き部分、及び／又は右イヤステム３２０の外向き部分沿いなど、周辺部に部分的に延在し得る。牽引面３５０ｂは、左イヤステム３３０に関して類似の特質を含み得る。
【００６６】
いくつかの実施形態では、牽引部材３５０ａ、３５０ｂ、３５０ｃは、支持体３１０又はレンズ３６０など、アイウェア３００の１つ以上の構成要素に対する長さを有し得る。例えば、いくつかの実施形態では、牽引面３５０ａは、右イヤステム３２０の長さの約５％〜約６０％の長さ、右イヤステム３２０の長さの約１０％〜約５０％の長さ、右イヤステム３２０の長さの約１５％〜約４０％の長さ、右イヤステム３２０の長さの約２０％〜約３０％の長さ、これらの範囲内の任意の部分範囲、又は所望に応じた右イヤステム３２０の長さの任意の割合を有し得、この長さは、前側端部３２２から後側端部３２４への長手方向の長さである。いくつかの実施形態では、牽引面３５０ａは、右イヤステム３２０の後側端部３２４において又はそれに近接して延在し得、右イヤステム３２０のおおよそ中点まで延在し得る。牽引面３５０ｂは、左イヤステム３３０に対して類似の長さを有し得る。牽引面３５０ｃは、ノーズピース３４６の全体、又はその一部に沿って延在するのに十分な長さを有し得る。
【００６７】
いくつかの実施形態では、牽引面３５０ａ、３５０ｂ、３５０ｃは、支持体３１０と、限定するものではないが、使用者の皮膚など、牽引面３５０ａ、３５０ｂ、３５０ｃと接
触する別の表面との間における、ある特定の方向での滑動に抵抗する又はそれを低減若しくは抑制し、一方では他の方向での滑動にあまり抵抗しないか又はより大きい程度の滑動を可能にするように構成され得る。牽引面３５０ｃなどの牽引面が使用者の鼻に位置付けられているいくつかの実施形態では、牽引面は、牽引面が、支持体３１０と使用者の鼻との間における、使用者の鼻に対して概ね前方及び／若しくは下方の方向での滑動に抵抗する又はそれを低減若しくは抑制し、一方では後方及び／若しくは上方などの他の方向での滑動にあまり抵抗しないか又はより大きい程度の滑動を可能にするように、構成され得る。別の例として、牽引面３５０ａ、３５０ｂ、３５０ｃなどの牽引面が使用者の耳及び／若しくは使用者の頭部の外側部上に又はそこに隣接して位置付けられているいくつかの実施形態では、牽引面は、牽引面が、支持体３１０と使用者の耳及び／又は使用者の頭部の外側部との間における、使用者の頭部に対して概ね前方の方向での滑動に抵抗する又はそれを低減若しくは抑制し、一方では後方、上方、及び／若しくは下方などの別の方向での滑動にあまり抵抗しないか又はより大きい程度の滑動を可能にするように、構成され得る。
【００６８】
牽引面は、支持体１１０、２１０、３１０に関連して記載されているが、牽引面は、レンズ１６０、２６０、３６０又はアイウェアの任意の他の構造体若しくは構成要素に適用され得ることを理解されたい。また、牽引面は、アイウェア１００、２００、３００に関連して記載されているが、本明細書に記載されているように、牽引面は、限定するものではないが、ゴーグル、ヘルメット、衣服などの上着、イヤリング、ブレスレット及びネックレスなどの宝飾品、腕時計、通信装置などのパーソナル電子装置、及びその類を含む、他のタイプの着用可能装置に適用され得る。
〔使用者が着用するアイウェアの実施形態〕
【００６９】
図４〜図７は、使用者の頭部４８０に着用されたアイウェア４００の一実施形態を示す。アイウェア４００は、アイウェア１００、２００、３００に関連した上記の構成要素、特徴、及び／若しくは特質のいずれか若しくはすべてを含む又は共有することができる。
【００７０】
最初に図４及び図５を参照すると、アイウェア４００は、右イヤステム４２０、左イヤステム４３０、及びフェイス４４０を有する支持体４１０を含み得る。アイウェア４００は、右レンズ４６２及び左レンズ４６４と、一体型ノーズピース４４６を有するフェイス４４０と、を有する二重レンズのアイウェアである。
【００７１】
図４の正面図を示す図５を参照すると、フェイス４４０のノーズピース４４６は、ノーズピース４４６の外面の少なくとも一部を形成し得る、牽引面４５０ｃを含み得る。牽引面４５０ｃは、接触面４８４に沿って使用者の鼻に接触するように構成され得、接触面４８４は、使用者の鼻と牽引面４５０ｃとの間に複数の接点を含む。例示の実施形態で示すように、接触面４８４との接点４８６に、三次元座標系が例示されている。この三次元座標系に関して、ｙ軸は、接点４８６において接触面４８４に垂直であり、ｘ軸は、接点４８６においてｙ軸と直行し、水平面（例えば、解剖学的横断面）と平行しており、ｚ軸は、接点４８６においてｘ軸及びｙ軸の両方と直行している。したがって、ｘ−ｚ平面は、接点４８６において接触面４８４に接している。例示の実施形態に示すように、ｙ軸は、使用者の鼻４８２から離れる方向に延在し、ｘ軸は、使用者の鼻４８２に対して概ね前方の方向に延在し、ｚ軸は、使用者の鼻４８２に対して概ね上方の方向に延在している。
【００７２】
次に、使用者の鼻４８２と、ｙ軸と直行する平面に沿った接触面４８４との概略図を示す図６を参照すると、いくつかの実施形態では、牽引面（図示せず）は、アイウェア４００に適用される力を中和するため、接触面４８４に対して力を加えるように構成され得る。例えば、例示の実施形態に示すように、牽引面は、アイウェア４００に適用される力４８７ａを中和するため、牽引力４８８ａを加えるように構成され得る。これは、アイウェ
ア４００を使用者の鼻４８２に対して定位置に保持するのに有益な助けになり得る。力４８７ａは、例えば、重力の影響により、及び／又はアイウェア４００に対する使用者の動きにより、発生し得る。
【００７３】
いくつかの事例において、牽引面が接触面４８４に対して滑動する前に、牽引面が接触面４８４に対して適用し得る牽引力の量は、適用される力の方向性によって異なり得る。例えば、例示の実施形態に示すように、牽引面は、適用される力４８７ａが、使用者の鼻４８２に対して概ね前方である方向及び／又は使用者の鼻４８２に対して概ね下方の方向など、アイウェアの滑動の一般的な方向であるとき、滑動する前により大きい量の牽引力４８８ａを加え得る。いくつかの事例において、アイウェアがこのようなアイウェアの滑動方向に適用される力４８７ａを受けると、牽引面は、平面内の別の方向でアイウェアに適用された力の結果として滑動前に加えられる牽引力よりも大きい、このような牽引力４８８ａを、滑動前に加え得る。例えば、適用される力４８７ａがこのような滑動方向である場合、牽引面は、平面内の１つ以上の他の方向に、又は平面内の他の全方向に適用された力を中和するため、滑動前に加えられる牽引力の平均値及び／又は中央値よりも大きい、このような牽引力４８８ａを、滑動前に加え得る。牽引面は、適用される力４８７ｂが、使用者の鼻４８２に対して概ね上方である方向など、アイウェアが移動する一般的な方向であるとき、滑動前により少ない量の牽引力４８８ｂを加え得る。いくつかの事例において、このようなアイウェアの移動方向に適用される力４８７ｂを受けたとき、牽引面は、平面内の１つ以上の他の方向に、又は平面内の他の全方向に適用された力を中和するため、滑動前に加えられる牽引力の平均値及び／又は中央値よりも小さい牽引力４８８ｂを、滑動前に加え得る。例示の実施形態に示すように、滑動前の牽引力４８８ｂは、滑動前の牽引力４８７ｂより小さくてよい。
【００７４】
このように、牽引面は、牽引面と接触面との間における所望の方向への界面のせん断に対してより高い抵抗性を有するように構成され得、他の所望の方向への界面のせん断に対してより低い抵抗性を有するように構成され得る。これは、アイウェア４００が、使用者の鼻４８２に対して概ね前方の方向に、及び／又は使用者の鼻４８２に対して概ね下方の方向に、使用者の鼻から最もずれやすくなる可能性があるため、特に有益であり得る。滑動前の牽引力の量が大きいほど、使用者の顔面にアイウェア４００を保持するのに役立ち得る。また、使用者は、使用者の顔面から使用者の鼻４８２に対して概ね上方の方向に、アイウェア４００を意図的に移動させる場合がある。したがって、使用者の顔面からこの方向に又は意図的な移動力に対する任意の他の想到された方向にアイウェア４００を移動させるため、より小さい量の力が必要になる。
【００７５】
本明細書に記載の基準のフレーム（例えば、軸）は、標準的なコンテキストにおいて、直立した垂直な位置にある使用者の頭部との関連で論じられていることを理解されたい。例えば、ｘ軸は、解剖学的横断面などの水平面に平行であることが上述されている。これは、例えば、限定するものではないが、Ａｌｄｅｒｓｏｎ頭形、ＥＮ１６８頭形、ＣＳＡ
Ｚ２６２．２−１４頭形、又は任意の他の標準的な頭形などの標準的な頭形で測定され得る。
【００７６】
ただし、本明細書に記載されている基準のフレームはまた、他のコンテキストでは位置変えされてもよいことを理解されたい。例えば、いくつかの事例において、基準のフレームは、使用者の顔面が地面に向かって角度を付けられる異なるスポーツ活動（「ヘッドダウン」活動）用に位置変えされてもよく、これらの活動としては、例えば、短距離走、スキー、又は自転車レースが挙げられ得る。基準のフレームは、他の事例において、使用者の顔面が地面から離れて角度付けされるスポーツ活動用に位置変えされてもよい。より小さい、略最小の、及び／又は最小の牽引力、並びにより大きい、略最大の、及び／又は最大の力の方向が、異なる活動用に構成され得ることが想到される。例えば、第１の牽引部
材は、標準的な活動（すなわち、頭部が直立した垂直位置にある）中に使用するように構成され得、第２の牽引部材は、ヘッドダウン活動中に使用するように構成され得る。別の実施例として、牽引部材は、使用者が直立した垂直の頭部位置とヘッドダウン位置との間で切り換える可能性のある活動中に使用するように、構成され得る。
【００７７】
牽引面は、牽引面と接触面との間の界面における１つ以上の所望の方向への剥離に対してより高い抵抗性を有するように構成され得、その界面において１つ以上の他の所望の方向の剥離に対してより低い抵抗性を有するように構成され得る。例えば、牽引面は、第１の方向の剥離力に対する第１の抵抗性と、第２の方向の剥離力に対する第２の抵抗性と、を提供するように構成され得、第１の抵抗性は、第２の抵抗性より大きい。
【００７８】
例示の実施形態に示すように、いくつかの実施例において、適用される力が、使用者の鼻４８２に対して概ね前方（例えば、ｘ軸に沿った正の方向）及び／又は使用者の鼻４８２に対して下方（例えば、ｚ軸に沿った負の方向）にある場合、牽引面は、滑動前に相対的に大きい量の牽引力を加え得る。いくつかの事例において、この方向は概ね、使用者の鼻の斜面とほぼ平行であり得る。これは、重力の影響により、及び／又はアイウェア４００に対する使用者の動きにより、アイウェアが、使用者の鼻の上で概ね滑動する方向に対応し得る。これは、図６に、ｘ軸に対する角度θで例示されている。例えば、かかるアイウェアの滑動方向に適用される力を受けたとき、牽引面は、平面内の１つ以上の他の方向に、又は平面内の他の全方向に加えられた力を中和するため、滑動前に加えられる牽引力の平均値及び／又は中央値よりも大きい牽引力を、滑動前に加え得る。いくつかの事例において、牽引面は、適用される力がこのような滑動方向にあるときに、滑動前に最大の、又は略最大の量の牽引力を加え得る。
【００７９】
いくつかの実施形態では、牽引面は、適用される力がｘ軸に対して鋭角をなす場合（例えば、使用者の鼻に対して前方向）及び／又はｚ軸に対して鈍角をなす場合（例えば、使用者の鼻に対して下方向）、滑動前に相対的に大きい又は最大の量の牽引力を加え得る。いくつかの実施形態では、適用される力がｘ軸に対して鋭角をなすとき、牽引面は、適用された力がｘ軸に対して垂直よりもｘ軸に対して平行に近い場合、及び／又は適用された力がｚ軸に対して鈍角をなす場合、滑動前に相対的に大きい又は最大の量の牽引力を加え得る。いくつかの実施形態では、適用される力がｘ軸に対して鋭角をなす場合、牽引面は、適用された力がｘ軸に対して平行よりもｘ軸に対して垂直に近い場合、及び／又は適用された力がｚ軸に対して鈍角をなす場合、滑動前に相対的に大きい又は最大の量の牽引力を加え得る。例えば、牽引面は、適用される力がｘ軸に対して約５０度〜約７０度の間の角度をなす場合、及び適用された力がｚ軸に対して鈍角をなす場合、滑動前に相対的に大きい又は最大の量の牽引力を加え得る。この角度は、例えば、使用者の鼻の斜面に対して概ね平行であり得る。いくつかの実施形態では、適用される力がｘ軸に対して鋭角をなすとき、牽引面は、適用された力がｘ軸に対して約４５度の角度をなす場合、及び／又は加えられた力がｚ軸に対して鈍角をなす場合、滑動前に相対的に大きい又は最大の量の牽引力を加え得る。
【００８０】
例示の実施形態に示すように、牽引面は、適用される力が、使用者の鼻４８２に対して概ね前方（例えば、ｚ軸に沿った正の方向）である場合、及び／又は適用された力が、使用者の鼻４８２に対して概ね後方又は前方の（例えば、ｘ軸に沿った）方向にある場合、滑動前に相対的に小さい量の牽引力を加え得る。これは、使用者が意図的に使用者の顔面からアイウェア４００を移動させる可能性がある方向に対応し得る。例えば、かかるアイウェアの移動方向に適用される力を受けた場合、牽引面は、平面内の１つ以上の他の方向に、又は平面内の他の全方向に適用される力を中和するため、滑動前に加えられる牽引力の平均値及び／又は中央値よりも小さい牽引力を、滑動前に加え得る。いくつかの事例において、牽引面は、適用された力がこのような移動方向にある場合、滑動前に最小、又は
略最小の量の牽引力を加え得る。いくつかの事例では、この牽引力は、例えば、段落［００７８］及び［００７９］に関連して上述された、滑動前に加えられる牽引力よりも小さくてよい。
【００８１】
いくつかの実施形態では、牽引面は、適用される力がｘ軸に対して鋭角をなす場合（例えば、使用者の鼻に対して前方向）及び／又は適用される力がｚ軸に対して鋭角をなす場合（例えば、使用者の鼻に対して上方向）、滑動前に相対的に小さい又は最小の量の牽引力を加え得る。例えば、牽引面は、適用される力がｘ軸に対して約２０度〜約４０度の角度をなす場合、及び適用される力がｚ軸に対して鋭角をなす場合、滑動前に相対的に小さい又は最小の量の牽引力を加え得る。この角度は、例えば、使用者の鼻の斜面と概ね直行し得る。いくつかの実施形態では、牽引面は、適用される力がｘ軸に対して鈍角をなす場合（例えば、使用者の鼻に対して前方向）及び／又は適用される力がｚ軸に対して鋭角をなす場合、滑動前に相対的に小さい又は最小の量の牽引力を加え得る。いくつかの実施形態では、牽引面は、適用される力がｘ軸に対して鈍角をなす場合、及び／又は適用される力がｚ軸に対して鈍角をなす場合、滑動前に相対的に小さい又は最小の量の牽引力を加え得る。
【００８２】
牽引面は、１つ以上の他の方向に滑動前に加えられる牽引力の量と比較して、１つ以上の方向に滑動前に相対的に大きい量の牽引力を加えるように構成され得ることを理解すべきである。上記のように、いくつかの実施形態では、牽引面は、適用される力がｚ軸に対して鋭角をなす場合（例えば、使用者の鼻に対して上方向）、及び適用される力がｘ軸に対して鋭角をなす場合（例えば、使用者の鼻に対して前方向）、牽引面が、滑動前に加え得る牽引力の量と比較して、適用される力がｘ軸に対して鋭角をなす場合（例えば、使用者の鼻に対して前方向）、及び適用される力がｚ軸に対して鈍角をなす場合（例えば、使用者の鼻に対して下方向）、牽引面は、滑動前により大きい量の牽引力を加え得る。しかしながら、これは変化する牽引力に関する方向の比較例であることを理解すべきである。牽引面は、他の方向に相対的に大きい量の牽引力を加え得る。これは、例えば、適用される力の方向が異なり得る、異なるタイプの活動に関連して使用される場合に有益であり得る。上記のように、牽引部材は、使用者の頭部が概ね直立位置にあるときの活動中に、及び／又は使用者の頭部が概ね「ヘッドダウン」位置にある活動中に、使用するように構成され得る。アイウェアの滑動方向及び／又はアイウェアの移動方向は、使用者の頭部の位置の結果として異なり得ることを理解されたい。また、他の力も所望のトラクション部材の特質における役割を果たし得ることを理解すべきである。例えば、大気の力（例えば、風）及び他の力（例えば、発射体）の影響を考慮してもよい。
【００８３】
次に、図７を参照すると、使用者の鼻（図示せず）の接触面４８４に接触する牽引面４５０ｃの概略図が示されており、牽引面４５０ｃは、牽引面４５０ｃの表面４５５から延在する１つ以上の突出部４５４を含み得、１つ以上の突出部４５４の端部は、接触面４８４に接触するように構成されている。例示の実施形態に示すように、突出部は、構成要素（この場合はｘ’軸沿い）が適用される力４８７ａの方向と反対側になる状態で、牽引面４５０ｃの表面４５５に対して角度付けされ、牽引面４５０ｃは、滑動前に相対的に大きい又は最大の量の牽引力４８８ａを加え得る。いくつかの実施形態では、突出部４５４は、表面４５５に対して平行よりも垂直に近い角度であり得る。いくつかの実施形態では、突出部４５４は、表面４５５に対して垂直よりも平行に近い角度であり得る。いくつかの実施形態では、突出部４５４は、表面４５５に対して垂直であるのと概して等しく、表面４５５に対して平行である角度であり得る。牽引面４５０ｃは、ノーズピース４４６とは別個に示されているが、牽引面４５０ｃは、ノーズピース４４６に一体に形成され得る、及び／又は同じ材料から形成され得る。
【００８４】
突出部４５４は、矩形柱状又は円柱状など、柱状の形態であり得る。突出部４５４は、
突出部４５４の長手方向軸に沿って、ナノ又はマイクロスケール単位の長さを有し得る。これにより、裸眼による個々の突出部４５４の視認性が有益に低減又は解消され得る。いくつかの事例において、これにより、より審美的に美しい外観が有益に提供され得る。これにより、接触面からの剥離に抵抗する牽引面の能力が向上され得る。いくつかの事例において、これにより、牽引面が接触面から離れる可能性が有益に低減され得る。これにより、皮膚の輪郭をなぞる接触面の能力が向上され得る。これにより、牽引面が、適用される力の所定の量に対して適用できる牽引力が有益に増大され得る。いくつかの実施形態では、突出部４５４は、約５００μｍ〜約１ｍｍの長さを有し得る。
【００８５】
いくつかの実施形態では、突出部４５４は、複数の材料及び／又は異なる特性を有する材料から形成され得る。例えば、突出部４５４の内部は、突出部４５４の外部を形成する材料よりも高い剛性を有する材料から形成され得る。
〔複数部分の牽引面の実施形態〕
【００８６】
いくつかの実施形態では、牽引部材は、方向特性の異なる複数の部分を含み得る。例えば、図８を参照すると、使用者の鼻４８２と、上部４８４ａ及び下部４８４ｂを有する接触面と、の概略図が示されており、牽引面（図示せず）は、異なる方向特性を有するように構成され得る。例えば、例示の実施形態に示すように、接触面の上部４８４ａに接触する牽引面は、適用される力が使用者の鼻４８２に対して概ね下方の方向にある場合、滑動前に相対的に大きい又は最大の量の牽引力４８８ｃを加えるように構成され得る。接触面の下部４８４ｂに接触する牽引面は、適用される力が使用者の鼻４８２に対して概ね前方の方向である場合、滑動前に相対的に大きい又は最大の量の牽引力４８８ｄを加えるように構成され得る。いくつかの実施形態では、牽引面は、接触面の上部４８４ａに接触する部分に沿って牽引面を形成する突出部が、使用者の鼻４８２に対して概ね下方に角度付けされるように、また、接触面の下部４８４ａに接触する部分に沿って牽引面を形成する突出部が、使用者の鼻４８２に対して概ね前方に角度付けされるように、形成され得る。
【００８７】
いくつかの事例において、上部４８４ａ及び下部４８４ｂに対する牽引面の併用効果は、牽引面が、図６の牽引面の実施形態に関して記載されている特性のうちの１つ以上に類似する、又はそれと同一の１つ以上の特性を有し得るようであり得る。また、図９に示すように、牽引面は２つ以上の小部を含み得ることが想到される。
〔使用者の耳及び頭部に接触する表面の実施形態〕
【００８８】
図１０は、使用者の頭部（図示せず）の外側部と使用者の耳４９０との間に位置付けられたアイウェア４００の右イヤステム４２０の一実施形態を示す。右イヤステム４２０は、右イヤステム４２０の外面の少なくとも一部を形成する牽引面（図示せず）を含み得る。牽引面は、使用者の頭部の外側部及び／又は使用者の耳４９０に接触するように構成され得る。例えば、牽引面は、接触面４９２に沿って使用者の耳４９０に接触し得、接触面４９２は、使用者の鼻と牽引面との間に複数の接点を含む。例示の実施形態で示すように、接触面４９２との接点４９４に、三次元座標系が例示されている。この三次元座標系に関して、ｙ軸は、接点４９４において接触面４９２に垂直であり、ｘ軸は、接点４９４においてｙ軸と直行し、水平面と平行しており、ｚ軸は、接点４９４においてｘ軸及びｙ軸の両方と直行している。例示の実施形態に示すように、ｙ軸は、使用者の耳４９０から離れる方向に延在し、ｘ軸は、使用者の耳４９０に対して概ね前方の方向に延在し、ｚ軸は、使用者の耳４９０に対して概ね上方の方向に延在している。
【００８９】
いくつかの実施形態では、牽引面は、アイウェア４００に適用される力を中和させるため、接触面４９２に対して力を加えるように構成され得る。例えば、例示の実施形態に示すように、牽引面は、アイウェア４００に適用される力４９５ａを中和するため、牽引力４９６ａを加えるように構成され得る。これにより、アイウェア４００は、使用者の耳４
９０に対する定位置に有益に保持され得る。力４９５ａは、例えば、アイウェア４００に対する使用者の動きにより、発生し得る。いくつかの事例において、牽引面が接触面４９２に対して滑動する前に、牽引面が接触面４９２に対して適用し得る牽引力の量は、適用される力の方向性によって異なり得る。例えば、例示の実施形態に示すように、牽引面は、適用される力４９５ａが使用者の耳４９０に対して概ね前方の方向にある場合に、滑動前により大きい量の牽引力４９６ａを加え得る一方、牽引面は、適用される力４９５ｂが、使用者の耳４９０に対して概ね上方及び／又は使用者の耳４９０に対して後方の方向にある場合、滑動前により小さい量の牽引力４９６ｂを加え得る。これは、アイウェア４００が、使用者の耳から、使用者の耳４９０に対して概ね前方の方向で最も滑動しやすい場合に、特に有益であり得る。滑動前のより大きい量の牽引力は、使用者の頭部でのアイウェア４００の保持を強化し得る。また、使用者は、使用者の頭部から使用者の耳４９０に対して概ね上方の方向にアイウェア４００を移動させる、及び／又は使用者の頭部に対して後方にアイウェアを摺動させることによって、アイウェア４００を着用する場合がある。したがって、使用者の頭部からアイウェア４００を着用する及び移動させるために、より小さい量の力が必要になる。
【００９０】
例示の実施形態に示すように、牽引面は、適用される力が使用者の耳４９０に対して概ね前方の方向にある場合、滑動前に相対的に大きい又は最大の量の牽引力を加え得る。いくつかの実施形態では、牽引面は、適用される力がｚ軸に対して鋭角をなす場合、及び／又はｘ軸に対して鋭角をなす場合、滑動前に、相対的に大きい又は最大の量の牽引力を加え得る。いくつかの実施形態では、牽引面は、適用される力がｚ軸に対して鈍角をなす場合、及び／又はｘ軸に対して鋭角をなす場合、滑動前に、相対的に大きい又は最大の量の牽引力を加え得る。
【００９１】
例示の実施形態に示すように、牽引面は、適用される力が使用者の耳４９０に対して概ね上方、及び／又は使用者の耳４９０に対して後方の方向にある場合、滑動前に、相対的に小さい又は最小の量の牽引力を加え得る。いくつかの実施形態では、牽引面は、適用される力がｘ軸に対して鈍角をなす場合、及び／又はｚ軸に対して鋭角をなす場合、滑動前に、相対的に小さい又は最小の量の牽引力を加え得る。いくつかの実施形態では、牽引面は、適用される力がｘ軸に対して鈍角をなす場合、及び／又はｚ軸に対して鈍角をなす場合、滑動前に、相対的に小さい又は最小の量の牽引力を加え得る。
【００９２】
図１１〜図１６は、右イヤステム５２０、６２０、７２０など、イヤステムの内部に沿って形成され得る牽引アセンブリ５５０、６５０、７５０の実施形態の図を示す。牽引アセンブリは、右イヤステム５２０の長さに沿って水平に延在する水平延在部５５２、右イヤステム６２０に沿って垂直に延在する垂直延在部６５２、及びイヤステムの表面から延在する、桿体のような形状を有する桿体延在部７５２などの延在部を含み得る。これらの延在部は、本明細に記載されたものなどの牽引面を含み得る、先端部５５４、６５４、７５４を含み得る。いくつかの実施形態では、延在部の使用は、牽引面が使用者の毛髪に接触する可能性を低減するのに有益であり得る。例えば、延在部５５２、６５２、７５２などの延在部は、使用者の毛髪を超えて延在し、先端部５５４、６５４、７５４などの先端部が使用者の頭皮に接触できるようにサイズ設定され、形状化され得る。例えば、いくつかの実施形態では、延在部は、延在部６５２に関連して例示されているような湾曲を含み得、延在部６５２の中央部分６５６は、延在部の端部６５８ａ、６５８ｂより後方向に更に延在する。かかる湾曲はまた、延在部７５２と関連して例示されており、延在部は、延在部７５６などの中央部分沿いの延在部７５２が、端部沿いの延在部７５２よりも更に後方に位置付けられるように、オフセットされた７５２である。別の例として、いくつかの実施形態では、延在部は、延在部６５２、７５２に関連して例示されているような角度で、外側に投影され得る。
【００９３】
いくつかの実施形態では、牽引面が使用者の毛髪に接触する可能性を低減するために、イヤステムなど、使用者の毛髪に隣接又は近接して位置付けられたアイウェアの部分は、使用者の毛髪に接触しにくいが、使用者の耳になお接触するイヤステムの部分に沿った牽引面を有し得る。例えば、牽引面は、イヤステムの底部及び／又は外側に面する部分に沿って位置付けられ得る。
〔他の実施形態〕
【００９４】
特定の実施形態が記載されているが、これらの実施形態は、あくまでも一例として提示されており、開示の範囲を制限することを意図しない。実際、本明細書に記載されている新規の装置、システム、及び方法は、様々な他の形態で具現化されてもよい。更に、本明細書に記載されるシステム及び方法には、様々な省略、置換、及び変更が実施されてもよい。添付の特許請求の範囲及びその等価物は、このような形態又は変更を、開示の範囲内に収まるように対象とすることを意図している。したがって、本開示の範囲は、本明細書に提示された、又は将来的に提示される特許請求の範囲の参照としてのみ定義される。
【００９５】
特定の態様、実施形態、又は実施例と共に記載される特徴、材料、特質、又はグループは、矛盾しない限り、本節又は本明細書のいずれかに記載された何らかの他の態様、実施形態、又は実施例に適用可能であることが理解されるべきである。本明細書に開示されるすべての特徴（添付の特許請求の範囲、要約、図面を含む）、及び／又は、開示されるあらゆる方法若しくはプロセスのすべての工程は、かかる特徴及び／又は工程のうちの少なくともいくつかが相互に排他的である組み合わせを除き、任意の組み合わせに結合されてもよい。保護は、いずれの前述の実施形態の詳細にも制限されない。保護は、本明細書に開示される特徴（いずれかの添付の特許請求の範囲、要約、及び図面を含む）のうちのいずれかの新規の特徴、若しくはいずれかの新規の組み合わせに、又は開示されるいずれかの方法若しくはプロセスの工程のうちのいずれかの新規の工程、又はいずれかの新規の組み合わせに拡大する。
【００９６】
更に、別個の実装のコンテキストにおいて、本開示に記載されるある特定の特徴はまた、単一の実装に組み合わせて実装され得る。逆に、単一の実装のコンテキストに記載されている様々な特徴はまた、別々に又は任意の好適な部分的組み合わせで複数の実装形態に実装され得る。また、特徴は、ある特定の組み合わせで動作するように上述されている場合があるが、主張される組み合わせからの１つ以上の特徴は、場合によっては、組み合わせから切除することができ、その組み合わせは、部分的組み合わせ、又は部分的組み合わせの変異として主張される場合がある。
【００９７】
「することができる」、「し得る」、「する可能性がある」、「してもよい」、「例えば」などの、本明細書で使用される条件を表す言語は、特に明記しない限り、又は使用されるような文脈内で別段に理解されない限り、概して、ある特定の特徴、要素、及び／又は工程を、ある特定の実施形態が含み、他の実施形態は含まないことを伝達することを意図している。このように、かかる条件を表す言語は、かかる特徴、要素、及び／又は工程が１つ以上の実施形態に必要とされるような方法であることを意味するようには、概して意図していない。
【００９８】
また、以下の用語が本明細書で使用されている場合がある。単数形「ａ」、「ａｎ」、及び「ｔｈｅ」は、文脈において別途明確に規定されていない限り、複数の指示対象を含む。このように、例えば、項目に対する参照は、そのような項目の１つ以上の参照を含む。用語「もの（ones）」は、１つ、２つ、又はそれ以上を指し、いくつか又はすべての量の選択に概ね適用される。語句「Ｘ、Ｙ、及びＺのうちの少なくとも１つ」などの結合的な言語は、特に明記しない限り、広くは、項目、用語などが、Ｘ、Ｙ、又はＺのいずれかであり得ることを伝達するために使用されるものとしての文脈で理解されたい。このよう
に、かかる結合的な言語は、ある特定の実施形態が、Ｘの少なくとも１つ、Ｙの少なくとも１つ、及びＺの少なくとも１つの存在を必要とすることを意味することを概して意図しない。
【００９９】
用語「約」、「おおよそ」、又は「概ね」は、量、寸法、大きさ、配合物、パラメータ、形状及び他の特質が正確である必要はなく、許容される公差、変換係数、四捨五入、測定誤差など、及び当業者に既知の他の要因を反映して、所望に応じ、近似されてもよく、及び／又は大きくても小さくてもよいことを意味する。例えば、いくつかの実施形態では、用語「約」、「おおよそ」、又は「概して」は、記載された値の２０％以内であってもよい。用語「略」は、列挙される特質、パラメータ、又は値が正確に達成される必要はなく、例えば、公差、測定誤差、測定精度制限、及び当業者に既知の他の要因を含む偏差又は変異が、その特質が提供することを意図していた効果を妨げない量で生じてもよいことを意味する。例えば、いくつかの実施形態では、用語「略」は、記載された値の５％以内であってもよい。
【０１００】
複数の項目は、利便性のために共通のリストに提示されてもよい。しかし、これらのリストは、リストのそれぞれの部材が別個の部材及び固有の部材として個々に識別されるように解釈されるべきである。このように、かかるリストの個々の部材のいずれも、それとは反対の指示もなく、単に、共通のグループにおけるそれらの提示に基づいて、同一リストのいずれかの他の部材と事実上同等のものとして解釈されるべきではない。更に、用語「及び」及び「又は」が項目のリストと共に使用されている場合、それらは、幅広く解釈されるべきであり、リスト項目のうちの任意の１つ以上を単独で使用しても、他のリスト項目と組み合わせて使用してもよい。
【図１】
2018538575.tif 000003
【図２Ａ】
2018538575.tif 000004
【図２Ｂ】
2018538575.tif 000005
【図３】
2018538575.tif 000006
【図４】
2018538575.tif 000007
【図５】
2018538575.tif 000008
【図６】
2018538575.tif 000009
【図７】
2018538575.tif 000010
【図８】
2018538575.tif 000011
【図９】
2018538575.tif 000012
【図１０】
2018538575.tif 000013
【図１１】
2018538575.tif 000014
【図１２】
2018538575.tif 000015
【図１３】
2018538575.tif 000016
【図１４】
2018538575.tif 000017
【図１５】
2018538575.tif 000018
【図１６】
2018538575.tif 000019
【国際調査報告】
2018538575.tif 000020
2018538575.tif 000021
2018538575.tif 000022
2018538575.tif 000023
2018538575.tif 000024